(57)【特許請求の範囲】
【請求項１】
コンテンツを管理するサーバが認証した認証済みの携帯端末からの要求に応じて、当該サーバが提供するコンテンツを再生するコンテンツ再生装置において、
前記認証済みの携帯端末が前記コンテンツの再生を許可した許可済みの携帯端末を示すデバイス情報を保持する認証情報管理部と、
前記認証済みの携帯端末から前記許可済みの携帯端末に対して付与された、所定の条件で前記コンテンツの再生を許可する制限付き認証情報に基づいて当該許可済みの携帯端末から当該コンテンツの再生が要求された場合に、前記認証情報管理部が保持するデバイス情報で当該携帯端末を判別する制御部と、
前記制御部によって前記許可済みの携帯端末が判別された場合に、当該携帯端末からの要求に応じて前記サーバから提供されたコンテンツを前記所定の条件で再生する再生処理部とを備えることを特徴とするコンテンツ再生装置。
【請求項２】
コンテンツを管理するサーバが認証した認証済みの携帯端末であって、
他の携帯端末からの当該携帯端末を示すデバイス情報を含むコンテンツ再生許可要求が受信された場合に、前記他の携帯端末に対して前記コンテンツの再生を許可するか否かをユーザに問い合わせる制御部と、
前記制御部によって前記コンテンツの再生許可が受け付けられると、前記他の携帯端末のデバイス情報を含み、所定の条件で前記コンテンツの再生を許可する制限付き認証情報を生成する認証情報管理部とを備え、
前記制御部は、前記認証情報管理部が生成した前記制限付き認証情報を、コンテンツを再生するコンテンツ再生装置を経由して前記他の携帯端末に送信することにより、前記コンテンツ再生装置に対して前記他の携帯端末のデバイス情報を通知し、当該他の携帯端末に対して前記制限付き認証情報を付与する携帯端末。
【発明の詳細な説明】
【技術分野】
【０００１】
この発明は、コンテンツ再生装置および携帯端末に関する。
【背景技術】
【０００２】
例えば、特許文献１には、コンテンツサーバに管理されているＷｅｂページや動画などのコンテンツを、あるコンテンツ再生装置で再生していたが、それを中断して別のコンテンツ再生装置で再生を継続することが可能なコンテンツ再生システムが記載されている。このシステムは、再生を中断したコンテンツを示す再生中断情報を、コンテンツ再生装置から近距離無線などで携帯端末に送信して、この携帯端末から別のコンテンツ再生装置に再生中断情報を与えることによってコンテンツの再生を継続させるものである。
【先行技術文献】
【特許文献】
【０００３】
【特許文献１】特開２００６−３０１７７７号公報
【発明の概要】
【発明が解決しようとする課題】
【０００４】
特許文献１に代表される従来の技術では、認証済みのユーザが他のユーザに視聴を許可することができず、他のユーザでは視聴を継続できないという課題があった。
例えば、ある携帯端末を用いた認証で再生されているコンテンツを、車内の複数の乗員で視聴していた場合に、認証された携帯端末を所有する乗員が降車すると、当該携帯端末を持たない他の乗員ではコンテンツを再生できず、視聴を継続できなくなる。【０００５】
この発明は、上記のような課題を解決するためになされたもので、認証済みの携帯端末から許可された別の携帯端末を用いてコンテンツの再生を継続することができるコンテンツ再生装置および携帯端末を得ることを目的とする。
【課題を解決するための手段】
【０００６】
この発明に係るコンテンツ再生装置は、コンテンツを管理するサーバが認証した認証済みの携帯端末からの要求に応じて、当該サーバが提供するコンテンツを再生するコンテンツ再生装置において、認証済みの携帯端末がコンテンツの再生を許可した許可済みの携帯端末を示すデバイス情報を保持する認証情報管理部と、認証済みの携帯端末から許可済みの携帯端末に対して付与された、所定の条件でコンテンツの再生を許可する制限付き認証情報に基づいて当該許可済みの携帯端末から当該コンテンツの再生が要求された場合に、認証情報管理部が保持するデバイス情報で当該携帯端末を判別する制御部と、制御部により許可済みの携帯端末が判別された場合に、当該携帯端末からの要求に応じてサーバから提供されたコンテンツを所定の条件で再生する再生処理部とを備えることを特徴とする。
【発明の効果】
【０００７】
この発明によれば、認証済みの携帯端末から許可された別の携帯端末を用いてコンテンツの再生を継続することができるという効果がある。
【図面の簡単な説明】
【０００８】
【図１】この発明に係るコンテンツ再生システムの概要を示す図である。
【図２】この発明の実施の形態１に係るコンテンツ再生装置の構成を示すブロック図である。
【図３】メディアサーバの構成を示すブロック図である。
【図４】携帯端末の構成を示すブロック図である。
【図５】実施の形態１に係るコンテンツ再生の概要を示す図である。
【図６】実施の形態１に係るコンテンツ再生システムにおけるコンテンツ継続再生のタイミングチャートである。
【図７】認証情報の要求時における携帯端末の動作を示すフローチャートである。
【図８】視聴許可の際のコンテンツ再生装置の動作を示すフローチャートである。
【図９】視聴許可の際の携帯端末の動作を示すフローチャートである。
【図１０】この発明の実施の形態２に係るコンテンツ再生の概要を示す図である。
【図１１】実施の形態２に係るコンテンツ再生システムにおけるコンテンツ継続再生のタイミングチャートである。
【発明を実施するための形態】
【０００９】
以下、この発明をより詳細に説明するため、この発明を実施するための形態について、添付の図面に従って説明する。
実施の形態１．
図１は、この発明に係るコンテンツ再生システムの概要を示す図である。図１に示すコンテンツ再生システムは、コンテンツ再生装置１、メディアサーバ２および携帯端末３ａ，３ｂを備える。コンテンツ再生装置１は、メディアサーバ２から伝送されたコンテンツを再生する。メディアサーバ２は、コンテンツを管理するサーバであり、コンテンツ再生装置１にコンテンツを伝送する。原則として、この発明に係るコンテンツ再生システムでは、コンテンツ再生装置１が、メディアサーバ２に認証された認証済み携帯端末３ａからの要求に応じて、メディアサーバ２から伝送されたコンテンツを再生する。
【００１０】
しかしながら、携帯端末３ａを用いて再生されたコンテンツを、携帯端末３ａの所持者と一緒に、メディアサーバ２に認証されていない携帯端末３ｂの所持者も視聴していた場合において、従来では、携帯端末３ａの所持者が視聴を止めて移動すると、携帯端末３ｂの所持者がコンテンツの視聴を継続することができなかった。
すなわち、コンテンツ再生装置１は、携帯端末３ａが管理する認証情報を用いて、携帯端末３ａがメディアサーバ２に認証されてからコンテンツを再生するので、この認証情報を持たない携帯端末３ｂでは、コンテンツの再生を継続できなかった。
【００１１】
そこで、この発明では、図１（ａ）に示すように、認証済みの携帯端末３ａの所持者が視聴を止めて移動する場合に、携帯端末３ａを用いて携帯端末３ｂに制限付きの認証情報を付与する。例えば、携帯端末３ｂが、コンテンツ再生装置１に対して、コンテンツ再生装置１の操作とコンテンツへのアクセスの許可を要求する。この要求に応じて、コンテンツ再生装置１が、認証済みの携帯端末３ａに対して携帯端末３ｂの上記要求を送信する。
認証済みの携帯端末３ａは、制限付きの認証情報を要求元の携帯端末３ｂに付与する。
【００１２】
携帯端末３ｂを用いてコンテンツの再生を継続させる場合、図１（ｂ）に示すように、携帯端末３ｂが、コンテンツ再生装置１に対して制限付きの認証情報を付加したコンテンツアクセス許可要求を送信する。コンテンツ再生装置１は、コンテンツアクセス許可要求から取得した制限付き認証情報をメディアサーバ２に送信し、メディアサーバ２が携帯端末３ｂを認証することで、コンテンツのストリーミング伝送が継続される。これにより、コンテンツ再生装置１は、メディアサーバ２から受信したコンテンツを再生し、携帯端末３ｂの所持者が視聴を継続することができる。
【００１３】
なお、制限付き認証情報とは、所定の条件でコンテンツの再生が許可される認証情報である。例えば、コンテンツの再生を一定期間のみ許可する条件が挙げられる。
また、一定期間としては継続して残りのコンテンツの視聴が完了するまでの間であってもよく、２週間などの再生可能期間を設定するものであってもよい。
さらに、許可を与えたユーザが、携帯端末３ａを用いてコンテンツ再生装置１に保存された携帯端末３ｂの制限付き認証情報を無効にすることで、許可を解消できるようにしてもよい。
【００１４】
図２は、この発明の実施の形態１に係るコンテンツ再生装置の構成を示すブロック図である。この発明に係るコンテンツ再生装置１は、コンテンツを再生してユーザに提示する装置であり、ナビゲーション装置やリアシートエンターテイメントに使用される表示装置などのコンテンツ再生機能を有した車載用情報機器が挙げられる。また、コンテンツ再生装置１自体が携帯端末であってもよい。例えば、スマートフォンや携帯情報端末といった表示装置としても機能する情報機器、ＰＮＤ（Ｐｏｒｔａｂｌｅ  Ｎａｖｉｇａｔｉｏｎ  Ｄｅｖｉｃｅ）であってもよい。
コンテンツ再生装置１は、図２に示すように、再生中断情報生成部１０、再生処理部１１、認証情報管理部１２、制御部１３、通信部１４、スピーカ１５、およびモニタ１６を備えて構成される。
【００１５】
再生中断情報生成部１０は、コンテンツの再生を中断したときに、その再生中断箇所を示す再生中断情報を生成する。
再生処理部１１は、メディアサーバ２に認証された携帯端末からの要求に応じてメディアサーバ２から提供されるコンテンツを再生する再生処理部である。
認証情報管理部１２は、携帯端末３ａ，３ｂの所持者がコンテンツを視聴する際に使用される認証情報を保持し管理する認証情報管理部である。
なお、認証情報管理部１２に保持される認証情報としては、携帯端末３ａの認証情報に加えて、携帯端末３ｂの制限付き認証情報も含まれる。
【００１６】
制御部１３は、再生中断情報生成部１０、再生処理部１１、認証情報管理部１２および通信部１４の各動作を制御する。通信部１４は、メディアサーバ２、携帯端末３ａ，３ｂと通信を行う通信部であり、例えば無線ＬＡＮ（Ｌｏｃａｌ  Ａｒｅａ  Ｎｅｔｗｏｒｋ）、Ｂｌｕｅｔｏｏｔｈ（登録商標；以下、記載を省略する）といった近距離無線通信などの無線通信方式が利用される。
スピーカ１５は、再生処理部１１により再生されたコンテンツの音声を出力する音出力部である。また、モニタ１６は、再生処理部１１により再生されたコンテンツの映像を出力する映像出力部である。
【００１７】
図３は、メディアサーバの構成を示すブロック図である。図３に示すように、メディアサーバ２は、認証処理部２０、コンテンツ管理部２１、コンテンツ２２、配信処理部２３、制御部２４、通信部２５および認証情報管理部２６を備えて構成される。
認証処理部２０は、コンテンツ再生装置１を介して携帯端末３ａ，３ｂから取得された認証情報を用いて、携帯端末３ａ，３ｂの認証を行う。コンテンツ管理部２１は、メディアサーバ２が提供するコンテンツ２２を管理する。配信処理部２３は、コンテンツ再生装置１や携帯端末から要求されたコンテンツを配信する処理部である。例えば、ストリーム伝送によりコンテンツを配信する。
【００１８】
制御部２４は、認証処理部２０、コンテンツ管理部２１、コンテンツ２２、配信処理部２３、通信部２５および認証情報管理部２６の各動作を制御する。通信部２５は、コンテンツ再生装置１、携帯端末３ａ，３ｂと通信を行う通信部であり、例えば、無線ＬＡＮ、Ｂｌｕｅｔｏｏｔｈといった近距離無線通信などの無線通信方式が利用される。
認証情報管理部２６は、メディアサーバ２がユーザを認証するために使用する認証情報を保持し管理する管理部である。認証情報には、ユーザが所持する携帯端末に固有なデバイス情報（例えば、携帯端末に固有なハードウェア識別情報、携帯端末が電話機能を有する場合は電話番号、所有者の指名など）が含まれる。
【００１９】
図４は、携帯端末の構成を示すブロック図である。図４に示すように、携帯端末３ａ，３ｂは、入力部３０、再生中断情報生成部３１、認証情報管理部３２、再生処理部３３、制御部３４、通信部３５、表示制御部３６、スピーカ３７、モニタ３８、再生中断情報管理部３９およびデバイス情報管理部４０を備えて構成される。入力部３０は、ユーザからの操作入力を受け付ける入力部である。再生中断情報生成部３１は、コンテンツの再生を中断したときに、再生中断した箇所を示す再生中断情報を生成する。
【００２０】
認証情報管理部３２は、メディアサーバ２が提供するコンテンツを視聴するために携帯端末３ａ，３ｂに付与された認証情報を保持し管理する認証情報管理部である。
なお、携帯端末３ａの認証情報管理部３２には、メディアサーバ２から携帯端末３ａにあらかじめ付与された認証情報が保持される。また、携帯端末３ｂの認証情報管理部３２には、認証済みの携帯端末３ａから付与された制限付きの認証情報が保持される。
【００２１】
再生処理部３３は、メディアサーバ２に認証された携帯端末３ａ，３ｂからの要求に応じてメディアサーバ２から提供されたコンテンツを再生する再生処理部である。
制御部３４は、入力部３０、再生中断情報生成部３１、認証情報管理部３２、再生処理部３３、通信部３５、再生中断情報管理部３９およびデバイス情報管理部４０の各動作を制御する。通信部３５は、コンテンツ再生装置１、メディアサーバ２と通信を行う通信部であり、例えば、無線ＬＡＮ、Ｂｌｕｅｔｏｏｔｈといった近距離無線通信などの無線通信方式が利用される。
【００２２】
表示制御部３６は、再生処理部３３によって再生されたコンテンツをモニタ３８に表示する制御を行う。スピーカ３７は、再生処理部３３によって再生されたコンテンツの音声を出力する音出力部である。また、モニタ３８は、再生処理部３３によって再生されたコンテンツの映像を出力する映像出力部である。
【００２３】
再生中断情報管理部３９は、自端末から要求したコンテンツの再生を中断したときに、再生中断情報生成部３１によって生成された再生中断情報を管理する。
デバイス情報管理部４０は、自端末に固有なデバイス情報を保持して管理する管理部である。デバイス情報には、上述した携帯端末に固有なデバイス情報が含まれる。
【００２４】
次に動作について説明する。
ここでは、図５に示すように、携帯端末３ａを所持する友人Ａに所有されるメディアサーバ２のコンテンツを、車両内に搭載されたコンテンツ再生装置１（表示装置）によって友人Ａと友人Ｂとが視聴中に、友人Ａが視聴を中断して降車した後も、友人Ｂが継続して同一のコンテンツを視聴する場合を例に挙げて説明する。
この場合、従来では、友人Ａが視聴を中断して、携帯端末３ａとともにコンテンツ再生装置１から離れると、コンテンツ再生装置１を含む車両内にあるデバイスでは、メディアサーバ２が提供するコンテンツへのアクセス権を失って、継続してコンテンツを視聴することができなくなる。
これに対して、この発明では、携帯端末３ｂを所持する友人Ｂが、友人Ａが降車した後も継続してコンテンツを視聴したい場合に、当該コンテンツおよびメディアサーバ２へのアクセス権を携帯端末３ａよって携帯端末３ｂへ制限付きで付与することで、上記問題を解決している。
【００２５】
図６は、実施の形態１に係るコンテンツ再生システムにおけるコンテンツ継続再生のタイミングチャートである。また、図７は、認証情報の要求時における携帯端末３ｂの動作を示すフローチャートである。図８は、視聴許可の際のコンテンツ再生装置１の動作を示すフローチャートである。さらに、図９は、視聴許可の際の携帯端末３ａの動作を示すフローチャートである。これらの図に沿って、携帯端末３ｂを用いてコンテンツを継続して視聴する処理の詳細を説明する。
【００２６】
図６に示すように、友人Ａが降車しようとしたとき、友人Ｂが、携帯端末３ｂの入力部３０を用いた操作入力によって、コンテンツ再生装置１に対して視聴中のコンテンツへのアクセス許可を要求するよう指示する。携帯端末３ｂの制御部３４は、入力部３０により入力されたコマンドを解読して上記要求であると判断した場合、デバイス情報管理部４０から自端末（携帯端末３ｂ）に固有なデバイス情報を取得し、この情報を含むコンテンツアクセス許可要求を通信部３５によりコンテンツ再生装置１に送信する。ここまでの処理が、図７のステップＳＴ１に相当する。
なお、通信部３５が使用する通信方式は、無線ＬＡＮであっても、Ｂｌｕｅｔｏｏｔｈなどの近距離無線通信であっても、有線などの他のネットワークを経由する通信であってもよい。
【００２７】
コンテンツ再生装置１の制御部１３は、図６に示すように、コンテンツにアクセスして再生許可を要求する、いわゆるコンテンツアクセス許可要求を携帯端末３ｂから受信すると、認証情報管理部１２に保持されている認証情報に基づいて、現在視聴中のコンテンツについて認証されている認証済みの携帯端末を検索する。ここでは、友人Ａがメディアサーバ２から認証されているので、認証情報に含まれるデバイス情報から、携帯端末３ａがメディアサーバ２に認証された認証済みの携帯端末として検索される。
次に、制御部１３は、通信部１４によって携帯端末３ｂのデバイス情報を付加したコンテンツアクセス許可要求を、認証済みの携帯端末３ａに送信する。ここまでの処理が図８のステップＳＴ１ａおよびステップＳＴ２ａに相当する。
なお、通信部１４が使用する通信方式も、無線ＬＡＮであっても、Ｂｌｕｅｔｏｏｔｈなどの近距離無線通信であっても、有線などの他のネットワークを経由する通信であってもよい。
【００２８】
携帯端末３ａの制御部３４は、図６に示すように、通信部３５によって受信されたコンテンツアクセス許可要求に付加された要求元のデバイス情報を取得して、このデバイス情報から携帯端末３ｂおよびその所有者（友人Ｂ）を判別する。
次に、制御部３４は、表示制御部３６に指示して、友人Ｂ（携帯端末３ｂ）からコンテンツアクセス許可要求があった旨およびこれを許可するかどうかを問い合わせる画面をモニタ３８に表示させる。ここまでが、図９のステップＳＴ１ｂおよびステップＳＴ２ｂの処理に相当する。
【００２９】
モニタ３８に表示された上記画面を参照したユーザ（友人Ａ）が入力部３０を用いて、友人Ｂに対してコンテンツアクセス許可を選択した場合、携帯端末３ａの制御部３４は、要求元のデバイス情報とアクセス許可を与えたコンテンツを示す情報とを、認証情報管理部１２に保存する。ここまでの処理が、図９のステップＳＴ３ｂからステップＳＴ５ｂまでに相当する。
なお、ステップＳＴ３ｂでユーザ（友人Ａ）から許可、不許可の指示がなければ、指示待ちの状態となり、指示がアクセス不許可である場合（ステップＳＴ４ｂ；ＮＯ）には、ステップＳＴ７ｂの処理に移行する。
【００３０】
次に、携帯端末３ａの認証情報管理部３２は、所定の条件でコンテンツへのアクセスを許可、すなわち所定の条件でコンテンツの再生を許可する制限付き認証情報を、暗号化データとして生成する。この後、制御部３４は、認証情報管理部３２により生成された制限付き認証情報をコンテンツアクセス許可通知に付加して通信部３５によりコンテンツ再生装置１に送信する。ここまでの処理が、図９のステップＳＴ６ｂに相当する。
【００３１】
また、ステップＳＴ７ｂではコンテンツアクセスが不許可であるため、携帯端末３ａの認証情報管理部３２は、携帯端末３ｂからのコンテンツアクセス許可要求を棄却して、コンテンツアクセス不許可通知を生成する。このコンテンツアクセス不許可通知は、通信部３５によってコンテンツ再生装置１へ送信される。
【００３２】
コンテンツ再生装置１の制御部１３は、図８のステップＳＴ２ａで送信した要求に対する応答が通信部１４により受信されると、この応答内容を解析する。
このとき、応答内容がコンテンツアクセス許可通知であると判断された場合は、認証情報管理部１２が、携帯端末３ｂを示すデバイス情報を、コンテンツの再生が許可された携帯端末のデバイス情報として保持する。
例えば、認証情報管理部１２が保持するデバイス情報を、携帯端末３ａのデバイス情報から携帯端末３ｂのデバイス情報に更新して保持する。ここまでの処理が図８のステップＳＴ３ａからステップＳＴ５ａまでに相当する。
【００３３】
続いて、制御部１３は、携帯端末３ａからの制限付き認証情報が付加されたコンテンツアクセス許可通知を通信部１４によって携帯端末３ｂに送信する。
また、応答内容がコンテンツアクセス拒否通知であると判断された場合（ステップＳＴ４ａ；ＮＯ）、制御部１３は、コンテンツアクセス許可棄却通知を、通信部１４によって携帯端末３ｂに送信する（ステップＳＴ６ａ）。
これらの通信部１４による通信についても、無線ＬＡＮや、Ｂｌｕｅｔｏｏｔｈなどの近距離無線通信であっても有線などの他のネットワークを経由する通信であってもよい。
【００３４】
携帯端末３ｂの制御部３４は、図７のステップＳＴ１で送信した要求に対する応答が、通信部３５により受信されると、この応答内容を解析する。このとき、応答内容がコンテンツアクセス許可通知であると判断された場合、認証情報管理部３２が、コンテンツアクセス許可通知に付加された制限付き認証情報を保持する。この後、制御部３４は、表示制御部３６に指示して、友人Ｂ（携帯端末３ｂ）のコンテンツアクセスを許可した旨を通知する画面をモニタ３８に表示させる。
一方、応答内容がコンテンツアクセス許可棄却通知であると判断された場合には、制御部３４は、表示制御部３６に指示して、友人Ｂ（携帯端末３ｂ）のコンテンツアクセスを拒否した旨を通知する画面をモニタ３８に表示させる。
ここまでの処理が図７のステップＳＴ２からステップＳＴ６までの処理に相当する。
【００３５】
上述のようにして、携帯端末３ｂが制限付き認証情報を取得することにより、友人Ａが車両から降車した後であっても、友人Ｂは、携帯端末３ｂが保持する制限付き認証情報を用いて、友人Ａのメディアサーバ２から提供されるコンテンツの視聴を継続することができる。すなわち、コンテンツ再生装置１の制御部１３が、携帯端末３ｂからコンテンツの再生が要求されると、認証情報管理部１２が保持するデバイス情報で当該携帯端末３ｂを判別する。再生処理部１１は、制御部１３によって許可済みの携帯端末３ｂが判別された場合、携帯端末３ｂから要求されたコンテンツを所定の条件で再生する。再生処理部１１によって再生されたコンテンツは、スピーカ１５およびモニタ１６から出力され、友人Ｂは、コンテンツの視聴を継続することができる。
【００３６】
以上のように、この実施の形態１によれば、コンテンツ再生装置１が、認証済みの携帯端末３ａがコンテンツの再生を許可した許可済みの携帯端末３ｂを示すデバイス情報を保持する認証情報管理部１２と、認証済みの携帯端末３ａから許可済みの携帯端末３ｂに付与された、所定の条件でコンテンツの再生を許可する制限付き認証情報に基づいて当該許可済みの携帯端末３ｂから当該コンテンツの再生が要求された場合に、認証情報管理部１２が保持するデバイス情報で当該携帯端末３ｂを判別する制御部１３と、制御部１３によって許可済みの携帯端末３ｂが判別された場合に、当該携帯端末３ｂからの要求に応じてメディアサーバ２から提供されたコンテンツを所定の条件で再生する再生処理部１１とを備える。このように構成することにより、認証済みの携帯端末３ａがコンテンツの再生を中断しても、携帯端末３ａが許可した別の携帯端末３ｂを用いてコンテンツの再生を継続することができる。
【００３７】
また、この実施の形態１によれば、携帯端末３ａが、他の携帯端末３ｂからの当該携帯端末を示すデバイス情報を含むコンテンツ再生許可要求が受信された場合に、他の携帯端末３ｂに対してコンテンツの再生を許可するか否かをユーザに問い合わせる制御部３４と、制御部３４によってコンテンツの再生許可が受け付けられると、他の携帯端末３ｂのデバイス情報を含み、所定の条件でコンテンツの再生を許可する制限付き認証情報を生成する認証情報管理部３２とを備え、制御部３４が、認証情報管理部３２が生成した制限付き認証情報を、コンテンツを再生するコンテンツ再生装置１を経由して他の携帯端末３ｂに送信することにより、コンテンツ再生装置１に対して他の携帯端末３ｂのデバイス情報を通知し、当該他の携帯端末３ｂに対して制限付き認証情報を付与する。
このようにすることで、上記と同様の効果が得られ、コンテンツ再生装置１を経由して制限付き認証情報を携帯端末３ｂに送信することで、携帯端末３ａが許可した別の携帯端末３ｂを示すデバイス情報を、コンテンツ再生装置１に効率よく設定することができる。
【００３８】
実施の形態２．
図１０は、この発明の実施の形態２に係るコンテンツ再生の概要を示す図である。実施の形態２では、図１０に示すように、携帯端末３ａを所持する友人Ａに所有されるメディアサーバ２のコンテンツを、車両内に搭載されたコンテンツ再生装置１（表示装置）によって友人Ａと友人Ｂとが視聴中に、友人Ｂが視聴を中断して降車した後も、友人Ｂが携帯端末３ｂで継続して同一のコンテンツを視聴する場合を例に挙げて説明する。
この場合も、従来では、友人Ｂが降車すれば、携帯端末３ｂはメディアサーバ２が管理するコンテンツにアクセスすることができないため、継続してコンテンツを視聴することができなくなる。
そこで、この実施の形態２では、携帯端末３ｂを所持する友人Ｂが降車した後も継続してコンテンツを視聴したい場合に、当該コンテンツおよびメディアサーバ２へのアクセス権を携帯端末３ａよって携帯端末３ｂへ制限付きで付与することで、上記問題を解決している。
【００３９】
図１１は、実施の形態２に係るコンテンツ再生システムにおけるコンテンツ継続再生のタイミングチャートである。図１１に示すように、携帯端末３ａから携帯端末３ｂが制限付き認証情報を取得するまでの処理は、上記実施の形態１と同様である。
実施の形態２では、車両外に出た友人Ｂの携帯端末３ｂにおいて、再生処理部３３が、制限付き認証情報に基づいてメディアサーバ２に認証されると、コンテンツアクセス許可要求（コンテンツ再生要求）に応じてメディアサーバ２から提供されたコンテンツを所定の条件で再生する。再生処理部３３により再生されたコンテンツは、スピーカ３７およびモニタ３８から出力され、友人Ｂは、車両内で視聴していたものと同一のコンテンツを継続して視聴することができる。
【００４０】
なお、コンテンツ再生装置１の再生中断情報生成部１０が、コンテンツアクセス許可通知に再生中断情報を付加して携帯端末３ｂに送信してもよい。これにより、携帯端末３ｂの再生処理部３３は、車両外でコンテンツを再生する際に、再生中断情報に基づいて車両内で視聴していた続きのコンテンツを再生することができる。
【００４１】
以上のように、この実施の形態２によれば、携帯端末３ｂが、認証済みの携帯端末３ａから付与された所定の条件でコンテンツの再生を許可する制限付き認証情報を保持する認証情報管理部３２と、認証情報管理部３２が保持する制限付き認証情報に基づいてメディアサーバ２に認証されると、コンテンツ再生要求に応じてメディアサーバ２から提供されたコンテンツを所定の条件で再生する再生処理部３３とを備える。
このように構成することで、認証済みの携帯端末３ａから許可された別の携帯端末３ｂが継続してコンテンツを再生することができる。
【００４２】
なお、本発明はその発明の範囲内において、各実施の形態の自由な組み合わせ、あるいは各実施の形態の任意の構成要素の変形、もしくは各実施の形態において任意の構成要素の省略が可能である。
【産業上の利用可能性】
【００４３】
この発明に係るコンテンツ再生装置は、認証済みの携帯端末から許可された別の携帯端末を用いてコンテンツの再生を継続することができるので、複数の乗員でコンテンツを視聴する場合がある車載用のコンテンツ再生装置に好適である。
【符号の説明】
【００４４】
１  コンテンツ再生装置、２  メディアサーバ、３ａ，３ｂ  携帯端末、１０，３１  再生中断情報生成部、１１，３３  再生処理部、１２，２６，３２  認証情報管理部、１３，２４，３４  制御部、１４，２５，３５  通信部、１５，３７  スピーカ、１６，３８  モニタ、２０  認証処理部、２１  コンテンツ管理部、２２  コンテンツ、２３  配信処理部、３０  入力部、３６  表示制御部、３９  再生中断情報管理部、４０  デバイス情報管理部。
【図１】
0005642320.tif 000002
【図２】
0005642320.tif 000003
【図３】
0005642320.tif 000004
【図４】
0005642320.tif 000005
【図５】
0005642320.tif 000006
【図６】
0005642320.tif 000007
【図７】
0005642320.tif 000008
【図８】
0005642320.tif 000009
【図９】
0005642320.tif 000010
【図１０】
0005642320.tif 000011
【図１１】
0005642320.tif 000012